(57)【特許請求の範囲】
【請求項１】
両端が開口する筒状を呈し、その内周面の頂面もしくは底面に、一方の開口端から他方の開口端にかけて軸方向に延びる溝を有する防水ケースと、
前記防水ケース内に収容可能で電気部品を覆う外郭を有し、該外郭の上面もしくは下面における前記溝に対応する部位に、前記防水ケース内への収容時に前記溝内に嵌入可能で少なくとも前記溝のエッジと常時接触可能で、この接触部分をアースの電気的接点とするとともに、前記防水ケースに挿入する際に前記溝のエッジに接触して溝長手方向へ案内される複数の突起を設けた点灯装置と、
前記防水ケースの開口部に取り付けられて、該開口部を閉塞するパッキンと、
前記パッキンを前記開口部に固定する取付金具と、
を備えることを特徴とする防水型点灯装置。
【請求項２】
請求項１記載の防水型点灯装置を用いた照明器具。
【請求項３】
ランプソケットを備え、該ランプソケットのランプと電気的に接触する部分には、防水カバーが設けられていることを特徴とする請求項２記載の照明器具。
【発明の詳細な説明】
【技術分野】
【０００１】
本発明は、防水型点灯装置とこの防水型点灯装置を用いた照明器具に関する。
【背景技術】
【０００２】
従来のこの種の防水型点灯装置として、電気部品を覆う点灯装置の外郭とこれを収納する筒状の防水ケース本体の内壁との間の隙間に板ばねを挿入し、これによって点灯装置を防水ケース本体に密着させ、固定するようにしたものが知られている（例えば、特許文献１参照）。
【０００３】
また、従来の別の防水型点灯装置として、パッキン等の樹脂製部材に、防水ケース内部側に突出する突起を設け、防水ケースに収納した点灯装置を前記突起によって固定するようにしたものが知られている（例えば、特許文献２参照）。
【先行技術文献】
【特許文献】
【０００４】
【特許文献１】特許第４３０５０９３号公報（図５）
【特許文献２】特許第４３３７６７４号公報（図４〜図６）
【発明の概要】
【発明が解決しようとする課題】
【０００５】
しかしながら、点灯装置の外郭とこれを収納する筒状の防水ケース本体の内壁との間の隙間に後から板ばねを挿入するものにあっては、隙間に板ばねを入れる作業が煩わしく、組立作業性に劣る。
【０００６】
また、防水ケースに収納した点灯装置を、パッキンに設けた突起によって固定するようにしたものにあっては、点灯装置の固定、密着を確実に行うことはできない。
【０００７】
本発明の技術的課題は、組立作業性がよく、点灯装置種類毎に防水ケースを新たに製作する必要がなく、防水ケースの共用化が図れ、収納する点灯装置が防水ケースに対して横幅寸法が小さい場合でも横幅方向への自由動を規制できて、位置決めを容易に行うことができるようにすることにある。
【課題を解決するための手段】
【０００８】
本発明に係る防水型点灯装置は、両端が開口する筒状を呈し、その内周面の頂面もしくは底面に、一方の開口端から他方の開口端にかけて軸方向に延びる溝を有する防水ケースと、防水ケース内に収容可能で電気部品を覆う外郭を有し、この外郭の上面もしくは下面における前記溝に対応する部位に、防水ケース内への収容時に前記溝内に嵌入可能で少なくとも前記溝のエッジと常時接触可能で、この接触部分をアースの電気的接点とするとともに、防水ケースに挿入する際に前記溝のエッジに接触して溝長手方向へ案内される複数の突起を設けた点灯装置と、防水ケースの開口部に取り付けられて、この開口部を閉塞するパッキンと、パッキンを開口部に固定する取付金具と、を備えるものである。
【発明の効果】
【０００９】
本発明の防水型点灯装置においては、防水ケースの溝と点灯装置の突起との位置合わせを行い、防水ケース内に点灯装置を挿入し、収納する。これにより、防水ケースの溝のエッジと点灯装置の突起とが干渉し、点灯装置が溝長手方向へ案内されるとともに、その溝幅方向への自由動が規制される。また、防水ケースの溝のエッジと点灯装置の突起が常時接触し、これらの接触部分をアースの電気的接点（中継点）としているので、組立作業性がよくなる。
【図面の簡単な説明】
【００１０】
【図１】本発明の実施の形態に係る防水型点灯装置を示す斜視図である。
【図２】本発明の実施の形態に係る防水型点灯装置を示す分解斜視図である。
【図３】図２のＡ部を拡大して示す斜視図である。
【図４】本発明の実施の形態に係る防水型点灯装置の突起の具体例を示す斜視図である。
【図５】本発明の実施の形態に係る防水型点灯装置の溝と突起の各種組合せ例を示す断面図である。
【図６】本発明の実施の形態に係る防水型点灯装置を用いた照明器具の外観を示す斜視図である。
【図７】本発明の実施の形態に係る防水型点灯装置を用いた照明器具の分解斜視図である。
【発明を実施するための形態】
【００１１】
図１は本発明の実施の形態に係る防水型点灯装置を示す斜視図、図２はその分解斜視図、図３は図２のＡ部拡大斜視図、図４はその突起の具体例を示す斜視図、図５はその溝と突起の各種組合せ例を示す端部側の断面図である。
【００１２】
本実施の形態の防水型点灯装置１は、図１乃至図３のように両端が開口する筒状に形成された防水ケース４と、防水ケース４内に収容可能で電気部品を覆う外郭を有する点灯装置２と、防水ケース４の開口部に取り付けられて、この開口部を閉塞するパッキン６と、開口部にねじ８により止着されてパッキン６を押さえる取付金具７とを備えている。
【００１３】
これを更に詳述すると、防水ケース４は、その内周面の頂面に、一方の開口端から他方の開口端にかけて軸方向に延びる溝５ａが２条並列に形成されている。
【００１４】
点灯装置２は、収容する電気部品により、各種の横幅寸法のものが容易されているが、いずれの種類の点灯装置２も、高さ寸法は同一寸法に設定され、かつ防水ケース４内に収容可能となっている。そして、それらの外郭の上面における防水ケース４の溝５ａに対応する部位に、防水ケース４内への収容時に溝５ａ内に嵌入可能で少なくとも溝５ａのエッジと常時接触可能な複数の突起３がそれぞれ設けられている。
【００１５】
突起３の具体例（２つ）を図４に示す。図４のように突起はエンボス加工により形成した半割ドーム状の突起３Ａ、または切り起こし片から形成した板状の突起３Ｂ等、種々採用可能である。いずれにせよ、突起３は、防水ケース４内への点灯装置２の収容時に、溝５ａ内に嵌入可能で少なくとも溝５ａのエッジと常時接触可能に構成することが重要である。これにより、溝５ａに、溝長手方向への突起案内機能と、溝幅方向への突起の自由動を規制する機能を持たせることができる。また、突起３と溝５ａのエッジとが常時接触可能に構成されているので、これらの接触部分を例えばアース等の電気的接点（中継点）として利用することができる。
【００１６】
溝と突起の各種組合せ例（４つ）を図５示す。
図５の左上の図は、防水ケース４Ａの内周面の頂面に、２条の溝５ａを形成するとともに、点灯装置２Ａの上面に、当該点灯装置２Ａを防水ケース４Ａ内へ収容する時に各溝５ａ内に嵌入可能で少なくとも各溝５ａのエッジと常時接触可能な複数の突起３を設けたものである。
【００１７】
図５の左下の図は、防水ケース４Ｂの内周面の頂面に、幅広の１条の溝５ｂを形成するとともに、点灯装置２Ａの上面に、当該点灯装置２Ａを防水ケース４Ｂ内へ収容する時に溝５ｂ内に嵌入可能で少なくとも溝５ｂの両側エッジと常時接触可能な複数の突起３を設けたものである。
【００１８】
図５の右上の図は、防水ケース４Ｃの内周面の底面に、２条の溝５ｃを形成するとともに、点灯装置２Ｂの下面に、当該点灯装置２Ｂを防水ケース４Ｃ内へ収容する時に各溝５ｃ内に嵌入可能で少なくとも各溝５ｃのエッジと常時接触可能な複数の突起３を設けたものである。
【００１９】
図５の右下の図は、防水ケース４Ｄの内周面の底面に、幅広の１条の溝５ｄを形成するとともに、点灯装置２Ｂの下面に、当該点灯装置２Ｂを防水ケース４Ｄ内へ収容する時に溝５ｄ内に嵌入可能で少なくとも溝５ｄの両側エッジと常時接触可能な複数の突起３を設けたものである。
【００２０】
いずれの組合せ例も、収容する電気部品により決まる点灯装置横幅寸法に関係なく、点灯装置２Ａ，２Ｂの高さ寸法は同一寸法に設定され、それぞれの突起３が、対応する防水ケース４Ａ〜４Ｄの溝５ａ〜５ｄのエッジと常時接触可能に構成されている。したがって、各溝５ａ〜５ｄに、溝長手方向への突起案内機能と、溝幅方向への突起の自由動を規制する機能を持たせることができる。また、突起３と対応する溝５ａ〜５ｄの接触部分を、それぞれアース等の電気的接点（中継点）として利用することができる。このため、組立作業性がよく、収容する電気部品により決まる点灯装置種類毎に防水ケースを新たに製作する必要がなく、防水ケースの共用化が図れ、収納する点灯装置が防水ケースに対して横幅寸法が小さい場合でも横幅方向への自由動を規制できて、位置決めを容易に行うことができる。
【００２１】
図６は本実施の形態に係る防水型点灯装置を用いた照明器具の外観を示す斜視図、図７はその分解斜視図である。
【００２２】
照明器具９は、防水型点灯装置１が取り付けられる器具本体１０と、器具本体１０の両端に配置されてランプ１３が取り付けられ、かつ防水型点灯装置１と電気的に接続されてランプ１３に電力を供給するランプソケット１１と、ランプ１３が発する光を反射する反射板１２と、器具本体１０に取り付けられて防水型点灯装置１と外部電源との間の中継ケーブルとなる口出し線（図示せず）とを備えている。
【００２３】
これを更に詳述すると、ランプソケット１１は、ランプ１３と電気的に接触する部分の防水性を高めるための防水カバー１４を備えている。
【００２４】
防水型点灯装置１は、器具本体１０にねじ等で固定されており、このねじ等を介して点灯装置２のアース端子が器具本体１０に電気的に接続されるようになっている。
【００２５】
口出し線は、電源線とアース線で分かれており、外部との接続により電源の供給とアース線の接地が行われ、電気的に接続される。
【００２６】
このように、本実施の形態の防水型点灯装置を用いた照明器具は、防水型点灯装置１そのものの持つ効果に加え、防水型点灯装置１に収納される点灯装置２を確実に接地することができる。このため、この防水型点灯装置１を用いた照明器具の安全性、信頼性を高め、かつ製造コストを削減することができる。
【符号の説明】
【００２７】
１  防水型点灯装置、２  点灯装置、３，３Ａ，３Ｂ  突起、４，４Ａ，４Ｂ，４Ｃ，４Ｄ  防水ケース、５ａ，５ｂ，５ｃ，５ｄ  溝、６  パッキン、７  取付金具、８  ねじ、９  照明器具、１０  器具本体、１１  ランプソケット、１２  反射板、１３  ランプ、１４  防水カバー。
【図１】
0005743447.tif 000002
【図２】
0005743447.tif 000003
【図３】
0005743447.tif 000004
【図４】
0005743447.tif 000005
【図５】
0005743447.tif 000006
【図６】
0005743447.tif 000007
【図７】
0005743447.tif 000008